(57)【要約】【課題】  特別な仕様のアンテナだけでなく、汎用のアンテナを用いることができるエレベータかごを提供する。【解決手段】  エレベータかごは、上壁部、下壁部、及び横壁部を有するかご本体と、電波の送信及び受信の少なくとも一方を行うアンテナを、かご本体の外部で、かご本体に固定する固定部と、を備え、上壁部、下壁部、及び横壁部の少なくとも一つは、金属で形成される金属部と、電波を透過し、アンテナと対面する位置に配置される透過部と、を備える。【選択図】  図５
2019001616.tif 000002
【特許請求の範囲】
【請求項１】
上壁部、下壁部、及び横壁部を有するかご本体と、
電波の送信及び受信の少なくとも一方を行うアンテナを、前記かご本体の外部で、前記かご本体に固定する固定部と、を備え、
前記上壁部、前記下壁部、及び前記横壁部の少なくとも一つは、金属で形成される金属部と、前記電波を透過し、前記アンテナと対面する位置に配置される透過部と、を備える、エレベータかご。
【請求項２】
前記透過部の内面は、前記金属部の内面と同一面上となるように、配置され、
前記かご本体は、前記金属部の内面と前記透過部の内面とに亘って積層される積層部を備える、請求項１に記載のエレベータかご。
【請求項３】
前記固定部は、前記かご本体に対する前記アンテナの向きを変更可能とする向き変更機構を備える、請求項１又は２に記載のエレベータかご。
【請求項４】
請求項１〜３の何れか１項に記載のエレベータかごと、
一端部が前記エレベータかごに接続されるロープと、
前記ロープの他端部が接続される釣合錘と、を備える、エレベータ。
【発明の詳細な説明】
【技術分野】
【０００１】
本発明は、上壁部、下壁部、及び横壁部を有するかご本体を備えるエレベータかごに関し、また、エレベータかごを備えるエレベータに関する。
【背景技術】
【０００２】
従来、エレベータかごとして、かご本体を備えるエレベータかごが、知られている（例えば、特許文献１及び２）。斯かるエレベータかごは、内部の機器（例えば、スマートフォンや携帯電話）が外部と通信可能となるために、当該機器との間で、電波の送受信を行うアンテナを備えている。
【０００３】
特許文献１に係るエレベータかごにおいては、アンテナは、かご本体の下壁部の一部となるように埋設されており、また、特許文献２に係るエレベータかごにおいては、アンテナは、エレベータかごを構成する導電体の一部（例えば、横壁部の一部）から成る。そして、斯かるアンテナは、市販されているような汎用のアンテナではなく、エレベータかごに対応した特別な仕様のアンテナである。
【先行技術文献】
【特許文献】
【０００４】
【特許文献１】実開平１−７２５４８号公報
【特許文献２】実開平１−１０９０７５号公報
【発明の概要】
【発明が解決しようとする課題】
【０００５】
そこで、課題は、特別な仕様のアンテナだけでなく、汎用のアンテナを用いることができるエレベータかご及びエレベータを提供することである。
【課題を解決するための手段】
【０００６】
エレベータかごは、上壁部、下壁部、及び横壁部を有するかご本体と、電波の送信及び受信の少なくとも一方を行うアンテナを、前記かご本体の外部で、前記かご本体に固定する固定部と、を備え、前記上壁部、前記下壁部、及び前記横壁部の少なくとも一つは、金属で形成される金属部と、前記電波を透過し、前記アンテナと対面する位置に配置される透過部と、を備える。
【０００７】
また、エレベータかごにおいては、前記透過部の内面は、前記金属部の内面と同一面上となるように、配置され、前記かご本体は、前記金属部の内面と前記透過部の内面とに亘って積層される積層部を備える、という構成でもよい。
【０００８】
また、エレベータかごにおいては、前記固定部は、前記かご本体に対する前記アンテナの向きを変更可能とする向き変更機構を備える、という構成でもよい。
【０００９】
また、エレベータは、前記のエレベータかごと、一端部が前記エレベータかごに接続されるロープと、前記ロープの他端部が接続される釣合錘と、を備える。
【発明の効果】
【００１０】
以上の如く、エレベータかご及びエレベータは、特別な仕様のアンテナだけでなく、汎用のアンテナを用いることができる、という優れた効果を奏する。
【図面の簡単な説明】
【００１１】
【図１】図１は、一実施形態に係るエレベータの概要図である。
【図２】図２は、同実施形態に係るエレベータかごの斜視図である。
【図３】図３は、同実施形態に係るエレベータかごの要部背面図である。
【図４】図４は、図３のIV−IV線拡大断面図である。
【図５】図５は、図３のＶ−Ｖ線拡大断面図である。
【図６】図６は、同実施形態に係る固定部の上面図である。
【図７】図７は、同実施形態に係る固定部の上面図である。
【発明を実施するための形態】
【００１２】
以下、エレベータかご及びエレベータにおける一実施形態について、図１〜図７を参照しながら説明する。なお、各図において、図面の寸法比と実際の寸法比とは、必ずしも一致しておらず、また、各図面の間での寸法比も、必ずしも一致していない。
【００１３】
図１に示すように、本実施形態に係るエレベータ１は、ユーザが乗るためのエレベータかご（以下、単に「かご」ともいう）２と、一端部がかご２に接続されるロープ１ａと、ロープ１ａの他端部に接続される釣合錘１ｂとを備えている。また、エレベータ１は、ロープ１ａを駆動してかご２を昇降させる巻上機１ｃを備えており、巻上機１ｃは、ロープ１ａが外周に巻き掛けられる回転可能な綱車１ｄを備えている。
【００１４】
図２に示すように、かご２は、箱形状であるかご本体３を備えており、かご本体３は、上壁部３ａと、下壁部３ｂと、横壁部３ｃ，３ｄ，３ｅ，４とを備えている。そして、横壁部３ｃ，３ｄ，３ｅ，４は、対面する平板状の前壁部３ｃ及び後壁部４と、対面する一対の平板状の側壁部３ｄ，３ｅとを備えている。これにより、かご本体３は、直方体状に形成されている。
【００１５】
かご２は、かご本体３の上壁部３ａに対して下方に離れている天井部２ａと、かご本体３の前面部３ｃに配置され、開閉するかご扉２ｂとを備えている。本実施形態においては、天井部２ａは、照明器具を覆う照明カバーである。なお、天井部２ａが備えられておらず、かご本体３の上壁部３ａの内面が露出されていてもよい。また、下壁部３ｂの内面と、横壁部３ｃ，３ｄ，３ｅ，４の内面とは、露出されている。
【００１６】
なお、上壁部３ａ、下壁部３ｂ、及び横壁部３ｃ，３ｄ，３ｅ，４は、それぞれ所定の厚みを有し、平板状に形成されている。例えば、上壁部３ａ、下壁部３ｂ、前壁３ｃ、及び側壁部３ｄ，３ｅは、金属板と、金属板の内面を覆うように、金属板の内面に固定される内装体（例えば、シート、タイル、カーペット、ゴムマット等）とで構成されている。なお、後壁部４については、後述する。
【００１７】
かご２は、かご本体３の内部の機器２０と通信するアンテナ５と、アンテナ５をかご本体３に固定する固定部６とを備えている。また、かご２は、電力線や信号線が中継される中継部２ｃと、アンテナ５と中継部２ｃとを接続するケーブル２ｄとを備えている。なお、中継部２ｃは、例えば、建物の外部と通信するための装置と、ケーブル２ｅで電気的に接続されている。
【００１８】
図２及び図３に示すように、アンテナ５は、かご本体３の外部に配置されている。具体的には、アンテナ５は、後壁部４の外面と離れて対面するように配置されている。これにより、アンテナ５の構成が特に制限されないため、特別な仕様のアンテナだけでなく、汎用のアンテナを用いることができる。
【００１９】
本実施形態においては、アンテナ５は、市販されている汎用のアンテナである。例えば、機器２０は、かご２に乗るユーザが持つ携帯端末（例えば、スマートフォン、携帯電話、パソコン等）であり、アンテナ５は、機器２０がインターネットに接続できるように、機器２０との間で電波の送受信を行うアンテナ（例えば、ＷｉＦｉアンテナ、アンテナを有するルーター等）である。
【００２０】
また、アンテナ５は、後壁部４に対して、横方向Ｄ１の中央部に配置されている。そして、アンテナ５は、下壁部３ｂから上方に所定距離（例えば、１．０ｍ〜１．５ｍ）だけ離れた位置に、配置されている。これにより、アンテナ５から送信される放射状の電波が、（後述する透過部９を透過して）かご２の内部の全域に伝搬できる。
【００２１】
後壁部４は、金属で形成される金属部７を備えている。本実施形態においては、金属部７は、３つの金属板（例えば、鋼板）７ａ，７ｂ，７ｃを横方向Ｄ１に並列し、締結手段（雄ネジ材及び雌ネジ材）７ｄにより、金属板７ａ，７ｂ，７ｃを互いに固定することで、形成されている。
【００２２】
また、かご本体３は、金属部７を補強する補強材８を複数備えている。補強材８は、縦方向Ｄ３に沿って延び、例えば接着や溶着により、金属部７の外面に固定されている。なお、前壁部３ｃ及び側壁部３ｄ，３ｅは、金属で形成されている。これにより、かご本体３の大部分は、耐火性を有する金属で形成されている。
【００２３】
図４及び図５に示すように、後壁部４は、アンテナ５と対面する位置に、電波を透過する透過部９を備えている。これにより、大部分が電波を遮断する金属（導電体）で形成されるかご本体３に対して、アンテナ５から送信される電波やアンテナ５で受信される電波は、透過部９を透過することで、かご本体３の内部と外部との間を伝搬できる。
【００２４】
したがって、かご本体３の内部の機器２０（図４及び５において、図示していない）とアンテナ５との間の通信が可能となる。これにより、ユーザがかご２に乗っている際にも、機器２０が外部と連続して通信できる。したがって、例えば、緊急時に、機器２０から外部と通信することもできる。
【００２５】
なお、金属部７は、アンテナ５と対面する位置に、開口７ｅを備えており、透過部９は、金属部７の開口７ｅを覆うように、配置されている。これにより、開口７ｅが設けられていることに関わらず、後壁部４の強度が低下することを抑制することができている。また、かご本体３の密閉性を確保することができている。これにより、例えば、かご２が昇降することに伴って、かご２の内部の気圧が変化することを抑制することができる。
【００２６】
透過部９は、絶縁体で形成されている。例えば、透過部９の導電率は、例えば、１０−６Ｓ／ｍ以下である。本実施形態においては、透過部９は、硬質樹脂で形成されている。なお、透過部９は、斯かる構成に限られず、例えば、ガラスで形成されている、という構成でもよい。
【００２７】
また、透過部９は、外周縁に、厚みが薄くなっている段差部９ａを備えており、段差部９ａは、金属部７と重なるように、配置されている。本実施形態においては、透過部９は、締結手段（雄ネジ材及び雌ネジ材）１０により、金属部７に固定されている。なお、透過部９は、斯かる構成に限られず、例えば、接着や溶着により、金属部７に固定されている、という構成でもよい。
【００２８】
透過部９の内面は、金属部７の内面と同一面上となるように、配置されている。具体的には、透過部９の内面は、金属部７の内面と同一平面上となるように、配置されている。なお、図示していないが、透過部９の内面と金属部７の内面との間に生じる僅かな隙間に、パテが埋められていてもよい。そして、後壁部４は、金属部７の内面と透過部９の内面とに亘って積層される積層部１１を備えている。
【００２９】
これにより、透過部９の内面と金属部７の内面とが、面一となり、しかも、積層部１１に積層されているため、金属部７と透過部９との境界が視認され難くなる。これにより、意匠性を向上させることができている。本実施形態においては、積層部１１は、シート材である。なお、積層部１１は、斯かる構成に限られず、塗装材が乾燥した塗膜である、という構成でもよい。
【００３０】
また、図５に示すように、固定部６は、後壁部４の外面に固定される壁固定体１２，１２と、アンテナ５を支持するアンテナ支持体１３とを備えている。そして、固定部６は、アンテナ支持体１３を壁固定体１２に着脱可能に固定する第１固定手段１４と、アンテナ５をアンテナ支持体１３に着脱可能に固定する第２固定手段１５とを備えている。
【００３１】
これにより、固定部６は、アンテナ５をかご本体３の後壁部４から取り外し可能に構成されている。具体的には、第１固定手段１４による固定を解除して、アンテナ支持体１３を壁固定体１２から取り外し、さらに、第２固定手段１５による固定を解除して、アンテナ５をアンテナ支持体１３から取り外すことで、アンテナ５を後壁部４から取り外すことができる。したがって、アンテナ５を交換したり、修理したりすることが容易に行える。
【００３２】
本実施形態においては、第１固定手段１４は、締結手段（雄ネジ材１４ａ及び雌ネジ材１４ｂ）であり、第２固定手段１５は、締結手段（雄ネジ材及び雌ネジ材）である。なお、壁固定体１２は、例えば接着や溶着により、後壁部４の外面に固定されている。
【００３３】
また、図５〜図７に示すように、固定部６は、かご本体３（後壁部４）に対するアンテナ５の向きを変更可能とする向き変更機構６ａを備えている。具体的には、壁固定体１２とアンテナ支持体１３とが、それぞれ第１固定手段１４の雄ネジ材１４ａに挿通される貫通孔１２ａ，１３ａを備えることで、向き変更機構６ａが構成されている。
【００３４】
本実施形態においては、アンテナ支持体１３の貫通孔１３ａは、長穴になっている。そして、図６に示すように、雄ネジ材１４ａが当該貫通孔１３ａの中央にそれぞれ位置することで、アンテナ５は、後壁部４に対して平行に配置されている。また、図７に示すように、雄ネジ材１４ａが当該貫通孔１３ａの端寄りにそれぞれ位置することで、アンテナ５は、後壁部４に対して傾斜して配置されている。
【００３５】
このようにして、かご本体３に対するアンテナ５の向きを所望の向きにして、アンテナ５を後壁部４に固定することができる。したがって、かご２の内部の機器２０（図５〜図７においては、図示していない）とアンテナ５との間の通信状態を良好にすることができる。
【００３６】
例えば、アンテナ５が後壁部４の横方向Ｄ１の中央部に配置できない場合であっても、アンテナ５の向きを調整することで、アンテナ５から送信される放射状の電波が、かご２の内部の全域に伝搬することもできる。なお、向き変更機構６ａの構成が上記実施形態の構成に限られないのは勿論である。
【００３７】
以上より、本実施形態に係るエレベータ１は、エレベータかご２と、一端部が前記エレベータかご２に接続されるロープ１ａと、前記ロープ１ａの他端部が接続される釣合錘１ｂと、を備える。
【００３８】
また、本実施形態に係るエレベータかご２は、上壁部３ａ、下壁部３ｂ、及び横壁部３ｃ，３ｄ，３ｅ，４を有するかご本体３と、電波の送信及び受信の少なくとも一方（本実施形態においては、送信及び受信）を行うアンテナ５を、前記かご本体３の外部で、前記かご本体３に固定する固定部６と、を備え、前記上壁部３ａ、前記下壁部３ｂ、及び前記横壁部３ｃ，３ｄ，３ｅ，４の少なくとも一つ（本実施形態においては、横壁部４）は、金属で形成される金属部７と、前記電波を透過し、前記アンテナ５と対面する位置に配置される透過部９と、を備える。
【００３９】
斯かる構成によれば、アンテナ５は、固定部６により、かご本体３の外部で、かご本体３に固定されている。これにより、かご本体３の構成に対して、アンテナ５の構成が特に制限されないため、特別な仕様のアンテナ５だけでなく、汎用のアンテナ５を用いることができる。
【００４０】
また、かご本体３の、上壁部３ａ、下壁部３ｂ、及び前記横壁部３ｃ，３ｄ，３ｅ，４の少なくとも一つ（本実施形態においては、横壁部４）は、金属で形成される金属部７と、電波を透過する透過部９とを備えている。そして、透過部９が、アンテナ５と対面する位置に配置されているため、かご本体３の内部の機器２０は、アンテナ５との間で、電波の送信及び受信の少なくとも一方（本実施形態においては、送信及び受信）を行うことができる。
【００４１】
また、本実施形態に係るエレベータかご２においては、前記透過部９の内面は、前記金属部７の内面と同一面上となるように、配置され、前記かご本体３は、前記金属部７の内面と前記透過部９の内面とに亘って積層される積層部１１を備える、という構成である。
【００４２】
斯かる構成によれば、透過部９の内面が、金属部７の内面と同一面上となるように、配置されているため、金属部７の内面と透過部９の内面とが面一になっている。そして、積層部１１が、金属部７の内面と透過部９の内面とに亘って積層されているため、金属部７の内面と透過部９の内面とが露出されていない。これにより、エレベータかご２の内部から、金属部７と透過部９との境界が視認され難くなる。
【００４３】
また、本実施形態に係るエレベータかご２においては、前記固定部６は、前記かご本体３に対する前記アンテナ５の向きを変更可能とする向き変更機構６ａを備える、という構成である。
【００４４】
斯かる構成によれば、向き変更機構６ａは、かご本体３に対するアンテナ５の向きを変更することができる。これにより、かご本体３に対するアンテナ５の向きを所望の向きにして、アンテナ５をかご本体３に固定することができる。
【００４５】
なお、エレベータかご２及びエレベータ１は、上記した実施形態の構成に限定されるものではなく、また、上記した作用効果に限定されるものではない。また、エレベータかご２及びエレベータ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４６】
（１）上記実施形態に係るエレベータかご２においては、アンテナ５は、横壁部（後壁部）４と対面するように配置され、透過部９は、横壁部（後壁部）４に配置されている、という構成である。しかしながら、エレベータかご２は、斯かる構成に限られない。例えば、アンテナ５は、上壁部３ａ又は下壁部３ｂと対面するように配置され、透過部９は、上壁部３ａ又は下壁部３ｂに配置されている、という構成でもよい。
【００４７】
（２）また、上記実施形態に係るエレベータかご２においては、かご本体３は、４つの平板状の横壁部（前壁部３ｃ、側壁部３ｄ，３ｅ、後壁部４）を備え、直方体状に形成されている、という構成である。しかしながら、エレベータかご２は、斯かる構成に限られない。例えば、かご本体３は、１つの曲面状の横壁部を備え、円柱体状に形成されている、という構成でもよい。斯かる構成においては、透過部９の内面は、金属部７の内面と同一曲面上となるように、配置される、という構成でもよい。
【００４８】
（３）また、上記実施形態に係るエレベータかご２においては、透過部９の内面は、金属部７の内面と同一面上となるように、配置されている、という構成である。しかしながら、エレベータかご２は、斯かる構成に限られない。例えば、透過部９の内面は、金属部７の内面に対して段差を有する（凸状又は凹状となる）ように、配置されている、という構成でもよい。
【００４９】
（４）また、上記実施形態に係るエレベータかご２においては、かご本体３は、積層部１１を備えている、という構成である。しかしながら、エレベータかご２は、斯かる構成に限られない。例えば、かご本体３は、積層部１１を備えておらず、金属部７の内面と透過部９の内面とは、露出している、という構成でもよい。
【００５０】
（５）また、上記実施形態に係るエレベータかご２においては、固定部６は、向き変更機構６ａを備えている、という構成である。しかしながら、エレベータかご２は、斯かる構成に限られない。例えば、固定部６は、向き変更機構６ａを備えておらず、アンテナ５の向きを一定の向きにして、アンテナ５をかご本体３に固定する、という構成でもよい。
【００５１】
（６）また、上記実施形態に係るエレベータかご２においては、向き変更機構６ａは、アンテナ５が上下方向を中心に回転するように、アンテナ５の向きを変更できる、という構成である。しかしながら、エレベータかご２は、斯かる構成に限られない。例えば、向き変更機構６ａは、アンテナ５が横方向を中心に回転するように、アンテナ５の向きを変更できる、という構成でもよい。
【００５２】
これにより、例えば、アンテナ５が後壁部４の所定の高さに配置できない場合であっても、アンテナ５の向きを調整することで、アンテナ５から送信される放射状の電波が、かご２の内部の全域に伝搬することもできる。なお、向き変更機構６ａは、アンテナ５が上下方向を中心に回転し且つ横方向を中心に回転するように、アンテナ５の向きを変更できる、という構成でもよい。
【００５３】
（７）また、上記実施形態に係るエレベータかご２においては、アンテナ５は、電波の送信及び受信の両方を行う、という構成である。しかしながら、エレベータかご２は、斯かる構成に限られない。例えば、アンテナ５は、電波の送信のみを行う、という構成でもよく、また、電波の受信のみを行う、という構成でもよい。
【００５４】
（８）また、上記実施形態に係るエレベータかご２においては、アンテナ５は、横壁部（後壁部）４と離れて対面するように、配置されている、という構成である。しかしながら、エレベータかご２は、斯かる構成に限られない。例えば、アンテナ５は、横壁部（後壁部）４と接して対面するように、配置されている、という構成でもよい。
【００５５】
（９）また、上記実施形態に係るエレベータかご２においては、アンテナ５は、一つ備えられており、透過部９も、一つ備えられている、という構成である。しかしながら、エレベータかご２は、斯かる構成に限られない。例えば、アンテナ５は、複数備えられており、それに対応して、透過部９も、複数備えられている、という構成でもよい。
【００５６】
（１０）また、上記実施形態に係るエレベータかご２においては、アンテナ５は、市販されている汎用のアンテナである、という構成である。しかしながら、エレベータかご２は、斯かる構成に限られない。例えば、アンテナ５は、特別な仕様のアンテナである、という構成でもよい。
【００５７】
（１１）また、エレベータかご２においては、例えば、機器２０は、ロボット（清掃用ロボット、荷物運搬用ロボット、案内用ロボット）であり、アンテナ５は、当該ロボットの情報の信号を電波で送受信するためのアンテナであってもよい。また、例えば、機器２０は、エレベータ１の動作を入力するリモコンであり、アンテナ５は、当該動作の電気信号を電波で送受信するためのアンテナであってもよい。
【００５８】
（１２）また、エレベータかご２においては、透過部９は、全ての電波を透過する、という構成でもよく、また、例えば、所定の波長の電波のみを透過する、即ち、バンドパスフィルタの機能を有する、という構成でもよい。
【符号の説明】
【００５９】
１…エレベータ、１ａ…ロープ、１ｂ…釣合錘、１ｃ…巻上機、１ｄ…綱車、２…エレベータかご、２ａ…天井部、２ｂ…かご扉、２ｃ…中継部、２ｄ…ケーブル、２ｅ…ケーブル、３…かご本体、３ａ…上壁部、３ｂ…下壁部、３ｃ…横壁部（前壁部）、３ｄ…横壁部（側壁部）、３ｅ…横壁部（側壁部）、４…横壁部（後壁部）、５…アンテナ、６…固定部、６ａ…向き変更機構、７…金属部、７ａ…金属板、７ｂ…金属板、７ｃ…金属板、７ｄ…締結手段、７ｅ…開口、８…補強材、９…透過部、９ａ…段差部、１０…締結手段、１１…積層部、１２…壁固定体、１２ａ…貫通孔、１３…アンテナ支持体、１３ａ…貫通孔、１４…第１固定手段、１４ａ…雄ネジ材、１４ｂ…雌ネジ材、１５…第２固定手段、２０…機器
【図１】
2019001616.tif 000003
【図２】
2019001616.tif 000004
【図３】
2019001616.tif 000005
【図４】
2019001616.tif 000006
【図５】
2019001616.tif 000007
【図６】
2019001616.tif 000008
【図７】
2019001616.tif 000009